【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
１つのコンテンツに関して１つのアイコン画像を有する第１のタイプのアイコンデータと、１つのコンテンツに関して複数のアイコン画像を有する第２のタイプのアイコンデータとを入力して一時的に記憶する一時記憶手段と、
前記一時記憶手段に記憶されたアイコンデータから、各コンテンツについて１つずつアイコン画像を読み出す第１読み出し手段と、
前記第１読み出し手段により読み出されたアイコン画像を表示するアイコン表示手段と、
前記アイコン表示手段によりアイコン画像が表示されているアイコンデータのうち、前記第２のタイプのアイコンデータに対して、前記一時記憶手段より当該アイコンデータが有する複数のアイコン画像を順次に読み出す第２読み出し手段と、
前記第２読み出し手段で読み出されたアイコン画像を、当該アイコンデータの前記アイコン表示手段による表示位置において順次に切り替えて表示する順次表示手段と、を備えることを特徴とするデータ閲覧装置。
【請求項２】
前記第２読み出し手段及び前記順次表示手段は、コンテンツの一覧の表示範囲の更新指示が入力されるまでの間、前記一時記憶手段に記憶されている前記第２のタイプのアイコンデータについて処理を繰り返すことを特徴とする請求項１に記載のデータ閲覧装置。
【請求項３】
前記第２読み出し手段及び前記順次表示手段は、表示されているアイコン画像のうちのフォーカスされているアイコン画像が前記第２のタイプのアイコンデータであった場合に、当該フォーカスされているアイコンデータに関して処理を実行することを特徴とする請求項１または２に記載のデータ閲覧装置。
【請求項４】
１つのコンテンツに関して１つのアイコン画像を有する第１のタイプのアイコンデータと、１つのコンテンツに関して複数のアイコン画像を有する第２のタイプのアイコンデータと、各アイコンデータの属性データとを入力して一時的に記憶する一時記憶手段と、
前記一時記憶手段に記憶された属性データを順次に読み出す属性データ読み出し手段と、
前記属性データ読み出し手段によって読み出された属性データが前記第１のタイプを示す場合、その属性データに対応するアイコンデータが有する１つのアイコン画像を前記一時記憶手段から読み出す第１読み出し手段と、
前記属性データ読み出し手段によって読み出された属性データが前記第２のタイプを示す場合、その属性データに対応するアイコンデータが有する複数のアイコン画像を前記一時記憶手段より順次に読み出す第２読み出し手段と、
前記第１読み出し手段と前記第２読み出し手段により読み出されたアイコン画像をコンテンツごとに表示し、前記第２読み出し手段が読み出した１つのコンテンツに関する複数のアイコン画像を順次に切り替えて表示する表示するアイコン表示手段と、を備えることを特徴とするデータ閲覧装置。
【請求項５】
前記アイコン表示手段は、コンテンツの一覧の表示範囲の更新指示が入力されるまで、前記第２のタイプのアイコンデータについて複数のアイコン画像を順次に切り替えて表示する処理を繰り返すことを特徴とする請求項４に記載のデータ閲覧装置。
【請求項６】
前記アイコン表示手段は、表示されているアイコン画像のうちのフォーカスされているアイコン画像が前記第２のタイプのアイコンデータに属する場合に、当該フォーカスされているアイコン画像が属するアイコンデータについて複数のアイコン画像を順次に切り替えて表示することを特徴とする請求項４に記載のデータ閲覧装置。
【請求項７】
前記第１のタイプのアイコンデータに対応するコンテンツは静止画データであり、前記第２のタイプのアイコンデータに対応するコンテンツは動画データであることを特徴とする請求項１乃至６のいずれか１項に記載のデータ閲覧装置。
【請求項８】
前記第１のタイプのアイコンデータに対応するコンテンツはシングルページからなるドキュメントデータであり、前記第２のタイプのアイコンデータに対応するコンテンツはマルチページからなるドキュメントデータであることを特徴とする請求項１乃至６のいずれか１項に記載のデータ閲覧装置。
【請求項９】
前記第２読み出し手段及び前記順次表示手段は、前記複数のアイコン画像を、動画データのフレームレートにしたがって読み出し、表示することを特徴とする請求項７に記載のデータ閲覧装置。
【請求項１０】
データ閲覧装置の制御方法であって、
一時記憶手段が、１つのコンテンツに関して１つのアイコン画像を有する第１のタイプのアイコンデータと、１つのコンテンツに関して複数のアイコン画像を有する第２のタイプのアイコンデータとを入力して一時記憶手段に一時的に記憶する一時記憶工程と、
第１読み出し手段が、前記一時記憶手段に記憶されたアイコンデータから、各コンテンツについて１つずつアイコン画像を読み出す第１読み出し工程と、
アイコン表示手段が、前記第１読み出し工程で読み出されたアイコン画像を画面に表示するアイコン表示工程と、
第２読み出し手段が、前記アイコン表示工程においてアイコン画像が表示されているアイコンデータのうち、前記第２のタイプのアイコンデータに対して、前記一時記憶手段より当該アイコンデータが有する複数のアイコン画像を順次に読み出す第２読み出し工程と、
順次表示手段が、前記第２読み出し工程で読み出されたアイコン画像を、当該アイコンデータの前記表示工程による表示位置において順次に切り替えて表示する順次表示工程と、を有することを特徴とするデータ閲覧装置の制御方法。
【請求項１１】
１つのコンテンツに関して１つのアイコン画像を有する第１のタイプのアイコンデータと、１つのコンテンツに関して複数のアイコン画像を有する第２のタイプのアイコンデータと、各アイコンデータの属性データとを入力して一時記憶手段に一時的に記憶する一時記憶工程と、
属性データ読み出し手段が、前記一時記憶手段に記憶された属性データを順次に読み出す属性データ読み出し工程と、
第１読み出し手段が、前記属性データ読み出し工程によって読み出された属性データが前記第１のタイプを示す場合、その属性データに対応するアイコンデータが有する１つのアイコン画像を前記一時記憶手段から読み出す第１読み出し工程と、
第２読み出し手段が、前記属性データ読み出し工程で読み出された属性データが前記第２のタイプを示す場合、その属性データに対応するアイコンデータが有する複数のアイコン画像を前記一時記憶手段より順次に読み出す第２読み出し工程と、
アイコン表示手段が、前記第１読み出し工程と前記第２読み出し工程により読み出されたアイコン画像をコンテンツごとに表示し、前記第２読み出し工程で読み出された１つのコンテンツに関する複数のアイコン画像を順次に切り替えて表示する画面に表示するアイコン表示工程と、
を有することを特徴とするデータ閲覧装置の制御方法。
【請求項１２】
請求項１０又は１１に記載のデータ閲覧装置の制御方法の各工程をコンピュータに実行させるためのコンピュータプログラム。
【請求項１３】
請求項１０又は１１に記載のデータ閲覧装置の制御方法の各工程をコンピュータに実行させるためのコンピュータプログラムを格納したことを特徴とするコンピュータ読み取り可能な記憶媒体。
【手続補正２】
【補正対象書類名】明細書
【補正対象項目名】０００７
【補正方法】変更
【補正の内容】
【０００７】
上記目的を達成するための本発明の一態様によるデータ閲覧装置は以下の構成を備える。すなわち、
１つのコンテンツに関して１つのアイコン画像を有する第１のタイプのアイコンデータと、１つのコンテンツに関して複数のアイコン画像を有する第２のタイプのアイコンデータとを入力して一時的に記憶する一時記憶手段と、
前記一時記憶手段に記憶されたアイコンデータから、各コンテンツについて１つずつアイコン画像を読み出す第１読み出し手段と、
前記第１読み出し手段により読み出されたアイコン画像を表示するアイコン表示手段と、
前記アイコン表示手段によりアイコン画像が表示されているアイコンデータのうち、前記第２のタイプのアイコンデータに対して、前記一時記憶手段より当該アイコンデータが有する複数のアイコン画像を順次に読み出す第２読み出し手段と、
前記第２読み出し手段で読み出されたアイコン画像を、当該アイコンデータの前記アイコン表示手段による表示位置において順次に切り替えて表示する順次表示手段と、を備える。